(57)【要約】【課題】数字、文字、図形などが、立体的に動く様に表示可能な表示装置の提供。【解決手段】表示装置Ａは、縦電極帯１３、２３、３３、４３、５３どうしの間隔および横電極帯１４、２４、３４、４４、５４どうしの間隔を後方の透明薄板基板ほど狭くし、縦電極帯側１３、２３、３３、４３、５３の半田付け片と横電極帯側１４、２４、３４、４４、５４の半田付け片との距離を後方に位置する透明薄板基板ほど短くしている。このため、後方の発光ダイオード６が前方の発光ダイオード６に隠れないので、最後列に位置する発光ダイオード６の発光から、最前列に位置する発光ダイオード６の発光まで、正面から、数字、文字、図形などが容易に視認できる。【選択図】図３
2016090810.tif 000002
【特許請求の範囲】
【請求項１】
長方形状の発光部の下端に接続部を突設した設定数の透明薄板基板と、
前記発光部の上端近傍から接続部下端まで縦方向に、所定の本数、独立して形成される縦電極帯と、
前記発光部の左端近傍または右端近傍から横方向に前記接続部の下端まで前記縦電極帯を跨いで、所定の本数、独立して形成される横電極帯と、
一端を縦電極帯に接続し、他端を前記横電極帯に接続した所定個数の表面実装形の発光ダイオードと、
前記透明薄板基板の前記接続部が嵌め込み可能なコネクタを基板上面に、所定間隔を隔てて、設定数、平行配置するとともに、前記コネクタを介して点灯回路が前記発光ダイオードへ通電する制御基板とを具備してなる表示装置。
【請求項２】
長方形状の発光部の下端に接続部を突設した設定数の透明薄板基板と、
前記発光部の上端近傍から接続部下端まで縦方向に、所定の本数、独立して等間隔に形成される縦電極帯と、
前記発光部の左端近傍または右端近傍から横方向に前記接続部の下端まで前記縦電極帯を跨いで、所定の本数、独立して等間隔に形成される横電極帯と、
各縦電極帯および各横電極帯の異なる設定位置から横方向および下方向に突出する所定数の半田付け片と、
一端を縦電極帯側の半田付け片に接続し、他端を横電極帯側の半田付け片に接続した所定個数の表面実装形の発光ダイオードと、
前記透明薄板基板の前記接続部が嵌め込み可能なコネクタを基板上面に、所定間隔を隔てて、設定数、平行配置するとともに、前記コネクタを介して点灯回路が前記発光ダイオードへ通電する制御基板とを具備してなる表示装置。
【請求項３】
前記透明薄板基板に等間隔に形成される前記縦電極帯どうしの間隔、および前記横電極帯どうしの間隔を、後方の透明薄板基板ほど狭くし、
縦電極帯側の半田付け片と横電極帯側の半田付け片との距離を、後方に位置する前記透明薄板基板ほど短くしたことを特徴とする請求項２に記載の表示装置。
【請求項４】
前後、左右、上下、および回動の内、少なくとも一組の方向に装置を移動させることが可能な駆動手段により前記表示装置が支持され、
前記駆動手段および前記表示装置の少なくとも一方は、フレキシブルワイヤーにより作動用電源に接続されていることを特徴とする請求項１乃至請求項３の何れかに記載の表示装置。
【発明の詳細な説明】
【技術分野】
【０００１】
本発明は、表面実装形発光ダイオード（ＳＭＤ  ＬＥＤ）を用いた表示装置に関する。
【背景技術】
【０００２】
従来より、砲弾形の発光ダイオードを格子状に並べた表示装置が知られている。
【先行技術文献】
【特許文献】
【０００３】
【特許文献１】特開２００６−３１００４３
【発明の概要】
【発明が解決しようとする課題】
【０００４】
特許文献１に記載の表示装置は、カラー液晶パネルのバックライト照明に限定される。
本発明の目的は、数字、文字、図形などが、立体的に動く様に表示可能な表示装置の提供にある。
【課題を解決するための手段】
【０００５】
（請求項１について）
透明薄板基板（全部で設定数）は、長方形状の発光部の下端に接続部を突設し、制御基板に配置されたコネクタに接続部が嵌め込まれる。
制御基板は、基板上面に、透明薄板基板の接続部が嵌め込み可能なコネクタを、所定間隔を隔てて、設定数、独立して平行配置している。この制御基板の点灯回路がコネクタを介して発光ダイオードへ通電を行う。
【０００６】
発光ダイオードを取り付けた透明薄板基板（設定数）の接続部を、制御基板に平行配置したコネクタへ嵌め込んでいる。
このため、後方の透明薄板基板に取り付けた発光ダイオードが発光する光が、前方の透明薄板基板を通過する。よって、利用者は、最後列の透明薄板基板の発光ダイオードの発光から、最前列の透明薄板基板の発光ダイオードの発光まで、表示装置の正面から視認できる。
【０００７】
透明薄板基板の発光部の上端近傍から接続部下端まで、縦方向に、所定の本数、独立して縦電極帯が形成されている。透明薄板基板の発光部の左端近傍または右端近傍から横方向に、接続部の下端まで縦電極帯を跨いで、所定の本数、独立して横電極帯が形成されている。
【０００８】
所定個数の表面実装形の発光ダイオードは、一端を縦電極帯に接続し、他端を横電極帯に接続している。
このため、発光部に形成した縦・横電極帯により、所定個数の表面実装形の発光ダイオードを、透明薄板基板の発光部に格子状に取り付けることができる。
表示装置は、格子状の発光部の発光具合により、利用者に、数字、文字、図形などが立体的に動く様に視認させることができる。
【０００９】
（請求項２について）
透明薄板基板（全部で設定数）は、長方形状の発光部の下端に接続部を突設し、制御基板に配置されたコネクタに接続部が嵌め込まれる。
制御基板は、基板上面に、透明薄板基板の接続部が嵌め込み可能なコネクタを、所定間隔を隔てて、設定数、平行配置している。この制御基板の点灯回路がコネクタを介して発光ダイオードへ通電を行う。
【００１０】
発光ダイオードを取り付けた透明薄板基板（設定数）の接続部を、制御基板に平行配置したコネクタへ嵌め込んでいる。
このため、後方の透明薄板基板に取り付けた発光ダイオードが発光する光が、前方の透明薄板基板を通過する。よって、最後列の透明薄板基板の発光ダイオードの発光から、最前列の透明薄板基板の発光ダイオードの発光まで、表示装置の正面から利用者が視認できる。
【００１１】
透明薄板基板の発光部の上端近傍から接続部下端まで、縦方向に、所定の本数、独立して縦電極帯が形成されている。透明薄板基板の発光部の左端近傍または右端近傍から横方向に、接続部の下端まで縦電極帯を跨いで、所定の本数、独立して横電極帯が形成されている。
【００１２】
各縦電極帯および各横電極帯の異なる設定位置から、横方向および下方向に、所定数の半田付け片が突出している。
そして、所定個数の表面実装形の発光ダイオードが、一端を縦電極帯側の半田付け片に接続し、他端を横電極帯側の半田付け片に接続している。
このため、発光部に形成した半田付け片付きの縦・横電極帯により、所定個数の表面実装形の発光ダイオードを、透明薄板基板の発光部に格子状に取り付けることができる。
【００１３】
（請求項３について）
表示装置は、縦電極帯どうしの間隔および横電極帯どうしの間隔を後方の透明薄板基板ほど狭くし、縦電極帯側の半田付け片と横電極帯側の半田付け片との距離を後方に位置する透明薄板基板ほど短くしているので、上方向や横方向からみると、後方から前方まで、発光ダイオードがハの字状に並ぶ。
このため、後方の発光ダイオードが前方の発光ダイオードに隠れないので、最後列に位置する発光ダイオードの発光から、最前列に位置する発光ダイオードの発光まで、表示装置の正面から利用者が容易に視認できる。
【００１４】
（請求項４について）
表示装置は、前後、左右、上下、および回動の内、少なくとも一組の方向に装置を移動させることが可能な駆動手段により支持されている。なお、少なくとも一組の方向とは、下記の通りである。
・前後方向、左右方向、上下方向、および回動方向の内、何れか一組。
・前後方向、左右方向、上下方向、および回動方向の内、何れか二組。
・前後方向、左右方向、上下方向、および回動方向の内、何れか三組。
・前後方向、左右方向、上下方向、および回動方向。
このため、表示装置は、利用者に、数字、文字、図形などが、より立体的に動く様に視認させることができる。
駆動手段および表示装置の少なくとも一方は、フレキシブルワイヤーにより作動用電源に接続されているため、表示装置が移動しても、電力を駆動手段および表示装置に安定供給できる。
【図面の簡単な説明】
【００１５】
【図１】実施例１に係る表示装置の外観図である。
【図２】実施例１に係る表示装置において、（ａ）は透明ハウジングを外した状態の上面図、（ｂ）は正面図、（ｃ）は側面図である。
【図３】（ａ）〜（ｅ）は、実施例１に係る表示装置に用いる透明薄板基板の説明図である。
【図４】実施例１に係る表示装置に用いる透明薄板基板に配線された発光ダイオードと電極帯の電気回路図である。
【図５】実施例１に係る表示装置の正面図である。
【実施例１】
【００１６】
本発明の実施例１（請求項１〜３に対応）を図１〜図５に基づいて説明する。
実施例１の表示装置Ａは、発光部１１、２１、３１、４１、５１および接続部１２、２２、３２、４２、５２を有する透明薄板基板１、２、３、４、５と、縦電極帯１３、２３、３３、４３、５３と、横電極帯１４、２４、３４、４４、５４と、縦電極帯１３、２３、３３、４３、５３から突出する半田付け片１５、２５、３５、４５、５５と、横電極帯１４、２４、３４、４４、５４から突出する半田付け片１６、２６、３６、４６、５６と、表面実装形の発光ダイオード６と、制御基板７１、７２とを具備し、発光部分が立方体の透明ハウジング７内に収納されている。この表示装置Ａは、パチンコ台の遊技盤内に設置される。
【００１７】
透明薄板基板１は、正方形（６２ｍｍ×６２ｍｍ）の発光部１１と、発光部１１の下端に突設される長方形の接続部１２とを有する。この透明薄板基板１は、制御基板７１の最前列に配置されたコネクタ７３に接続部１２が差し込まれている。
【００１８】
透明薄板基板２は、正方形（６２ｍｍ×６２ｍｍ）の発光部２１と、発光部２１の下端に突設される長方形の接続部２２とを有する。この透明薄板基板２は、制御基板７１の前から２列目に配置されたコネクタ７４に接続部２２が差し込まれている。
【００１９】
透明薄板基板３は、正方形（６２ｍｍ×６２ｍｍ）の発光部３１と、発光部３１の下端に突設される長方形の接続部３２とを有する。この透明薄板基板３は、制御基板７１の前から３列目に配置されたコネクタ７５に接続部３２が差し込まれている。
【００２０】
透明薄板基板４は、正方形（６２ｍｍ×６２ｍｍ）の発光部４１と、発光部４１の下端に突設される長方形の接続部４２とを有する。この透明薄板基板４は、制御基板７１の前から４列目に配置されたコネクタ７６に接続部４２が差し込まれている。
【００２１】
透明薄板基板５は、正方形（６２ｍｍ×６２ｍｍ）の発光部５１と、発光部５１の下端に突設される長方形の接続部５２とを有する。この透明薄板基板５は、制御基板７１の前から５列目（最後列）に配置されたコネクタ７７に接続部５２が差し込まれている。
【００２２】
縦電極帯１３は、透明薄板基板１の発光部１１の上端近傍から接続部１２の下端まで縦方向（基板下端付近で横方向）に、８ｍｍの等間隔で平行に７本、基板表面に形成されている。
【００２３】
縦電極帯２３は、透明薄板基板２の発光部２１の上端近傍から接続部２２の下端まで縦方向（基板下端付近で横方向）に、７．６ｍｍの等間隔で平行に７本、独立して基板表面に形成されている。
【００２４】
縦電極帯３３は、透明薄板基板３の発光部３１の上端近傍から接続部３２の下端まで縦方向（基板下端付近で横方向）に、７．２２ｍｍの等間隔で平行に７本、独立して基板表面に形成されている。
【００２５】
縦電極帯４３は、透明薄板基板４の発光部４１の上端近傍から接続部４２の下端まで縦方向（基板下端付近で横方向）に、６．８６ｍｍの等間隔で平行に７本、独立して基板表面に形成されている。
【００２６】
縦電極帯５３は、透明薄板基板５の発光部５１の上端近傍から接続部５２の下端まで縦方向（基板下端付近で横方向）に、６．５２ｍｍの等間隔で平行に７本、独立して基板表面に形成されている。
【００２７】
横電極帯１４は、透明薄板基板１の発光部１１の右端近傍または左端近傍から横方向（基板端で縦方向）に、接続部１２の下端まで７本の縦電極帯１３を跨いで、等間隔で平行に７本、独立して基板表面に形成されている。なお、跨ぐとは、上側または下側から交差（絶縁状態）することである。
【００２８】
横電極帯２４は、透明薄板基板２の発光部２１の右端近傍または左端近傍から横方向（基板端で縦方向）に、接続部２２の下端まで７本の縦電極帯２３を跨いで、等間隔で平行に７本、独立して基板表面に形成されている。なお、跨ぐとは、上側または下側から交差（絶縁状態）することである。
【００２９】
横電極帯３４は、透明薄板基板３の発光部３１の右端近傍または左端近傍から横方向（基板端で縦方向）に、接続部３２の下端まで７本の縦電極帯３３を跨いで、等間隔で平行に７本、独立して基板表面に形成されている。なお、跨ぐとは、上側または下側から交差（絶縁状態）することである。
【００３０】
横電極帯４４は、透明薄板基板４の発光部４１の右端近傍または左端近傍から横方向（基板端で縦方向）に、接続部４２の下端まで７本の縦電極帯４３を跨いで、等間隔で平行に７本、独立して基板表面に形成されている。なお、跨ぐとは、上側または下側から交差（絶縁状態）することである。
【００３１】
横電極帯５４は、透明薄板基板５の発光部５１の右端近傍または左端近傍から横方向（基板端で縦方向）に、接続部５２の下端まで７本の縦電極帯５３を跨いで、等間隔で平行に７本、独立して基板表面に形成されている。なお、跨ぐとは、上側または下側から交差（絶縁状態）することである。
【００３２】
半田付け片１５（電極帯１本に付き７個）は、表面実装形の発光ダイオード６のカソードを半田付けするための円形部と、縦電極帯１３と円形部とを繋ぐ接続部とからなる。  この半田付け片１５は、最前列の透明薄板基板１の縦電極帯１３の異なる７つの設定位置から横方向に突出する。なお、隣り合う縦電極帯１３の半田付け片１５、１５間の距離は、８．０ｍｍである。
【００３３】
半田付け片２５（電極帯１本に付き７個）は、表面実装形の発光ダイオード６のカソードを半田付けするための円形部と、縦電極帯２３と円形部とを繋ぐ接続部とからなる。この半田付け片２５は、前から２列目の透明薄板基板２の縦電極帯２３の異なる７つの設定位置から横方向に突出する。なお、隣り合う縦電極帯２３の半田付け片２５、２５間の距離は、７．６ｍｍである。
【００３４】
半田付け片３５（電極帯１本に付き７個）は、表面実装形の発光ダイオード６のカソードを半田付けするための円形部と、縦電極帯３３と円形部とを繋ぐ接続部とからなる。この半田付け片３５は、前から３列目の透明薄板基板３の縦電極帯３３の異なる７つの設定位置から横方向に突出する。なお、隣り合う縦電極帯３３の半田付け片３５、３５間の距離は、７．２２ｍｍである。
【００３５】
半田付け片４５（電極帯１本に付き７個）は、表面実装形の発光ダイオード６のカソードを半田付けするための円形部と、縦電極帯４３と円形部とを繋ぐ接続部とからなる。この半田付け片４５は、前から４列目の透明薄板基板４の縦電極帯４３の異なる７つの設定位置から横方向に突出する。なお、隣り合う縦電極帯４３の半田付け片４５、４５間の距離は、６．８６ｍｍである。
【００３６】
半田付け片５５（電極帯１本に付き７個）は、表面実装形の発光ダイオード６のカソードを半田付けするための円形部と、縦電極帯５３と円形部とを繋ぐ接続部とからなる。この半田付け片５５は、最後列（前から５列目）の透明薄板基板５の縦電極帯５３の異なる７つの設定位置から横方向に突出する。なお、隣り合う縦電極帯５３の半田付け片５５、５５間の距離は、６．５２ｍｍである。
【００３７】
半田付け片１６（電極帯１本に付き７個）は、表面実装形の発光ダイオード６のアノードを半田付けするための円形部と、横電極帯１４と円形部とを繋ぐ接続部とからなる。この半田付け片１６は、最前列の透明薄板基板１の横電極帯１４の異なる７つの設定位置から縦方向に突出する。なお、隣り合う横電極帯１４の半田付け片１６、１６間の距離は、８．００ｍｍである。
【００３８】
半田付け片２６（電極帯１本に付き７個）は、表面実装形の発光ダイオード６のアノードを半田付けするための円形部と、横電極帯２４と円形部とを繋ぐ接続部とからなる。この半田付け片２６は、前から２列目の透明薄板基板２の横電極帯２４の異なる７つの設定位置から縦方向に突出する。なお、隣り合う横電極帯２４の半田付け片２６、２６間の距離は、７．６０ｍｍである。
【００３９】
半田付け片３６（電極帯１本に付き７個）は、表面実装形の発光ダイオード６のアノードを半田付けするための円形部と、横電極帯３４と円形部とを繋ぐ接続部とからなる。この半田付け片３６は、前から３列目の透明薄板基板３の横電極帯３４の異なる７つの設定位置から縦方向に突出する。なお、隣り合う横電極帯３４の半田付け片３６、３６間の距離は、７．２２ｍｍである。
【００４０】
半田付け片４６（電極帯１本に付き７個）は、表面実装形の発光ダイオード６のアノードを半田付けするための円形部と、横電極帯４４と円形部とを繋ぐ接続部とからなる。この半田付け片４６は、前から４列目の透明薄板基板４の横電極帯４４の異なる７つの設定位置から縦方向に突出する。なお、隣り合う横電極帯４４の半田付け片４６、４６間の距離は、６．８６ｍｍである。
【００４１】
半田付け片５６（電極帯１本に付き７個）は、表面実装形の発光ダイオード６のアノードを半田付けするための円形部と、横電極帯５４と円形部とを繋ぐ接続部とからなる。この半田付け片５６は、最後列（前から５列目）の透明薄板基板５の横電極帯５４の異なる７つの設定位置から縦方向に突出する。なお、隣り合う横電極帯５４の半田付け片５６、５６間の距離は、６．５２ｍｍである。
【００４２】
合計４９個（７×７）の表面実装形の発光ダイオード６は、縦電極帯１３、２３、３３、４３、５３の半田付け片１５、２５、３５、４５、５５にカソード（一端）が半田付けされ、横電極帯１４、２４、３４、４４、５４の半田付け片１６、２６、３６、４６、５６にアノード（他端）が半田付けされている。
【００４３】
制御基板７１は、マイクロコンピュターを具備する点灯回路が組み付けられ、コネクタ７３〜７７（５個）を１５ｍｍ所定間隔を隔てて基板上面に平行配置している。点灯回路は、マイクロコンピュターおよび給電用ＩＣを有し、コネクタ７３〜７７を介して発光ダイオード６へ通電を行う。
制御基板７２は、制御基板７１の下側に位置し、制御基板７１の機械的な変形を防止している。
【００４４】
図４において、透明薄板基板１、２、３、４、５の縦電極帯１３、２３、３３、４３、５３および横電極帯１４、２４、３４、４４、５４の両方に通電を行うと、該当する発光ダイオード６が点灯する。
【００４５】
例として、パチンコ台（遊技盤内に表示装置Ａが設置されている）の前に座った遊技者が遊技盤を見ていた場合に、数字の『１』が後方から前方に迫ってくる様に感じる通電方法を述べる。
数十分の１秒の間、制御基板７１の点灯回路が、最後方に位置する透明薄板基板５の図４に示す電極帯のＰｉｎ  Ｎｏ．（５−２）、（６−１）、（６−１０）、（６−１１）、（６−１２）、（６−１３）、（６−１４）、（４−１４）、（５−１４）、（６−１１）、（７−１１）、（７−１４）、（８−１４）に通電を行う。
【００４６】
つぎの、数十分の１秒の間、制御基板７１の点灯回路が透明薄板基板４の図４に示す電極帯のＰｉｎ  Ｎｏ．（５−２）、（６−１）、（６−１０）、（６−１１）、（６−１２）、（６−１３）、（６−１４）、（４−１４）、（５−１４）、（６−１１）、（７−１１）、（７−１４）、（８−１４）に通電を行う。
【００４７】
つぎの、数十分の１秒の間、制御基板７１の点灯回路が透明薄板基板３の図４に示す電極帯のＰｉｎ  Ｎｏ．（５−２）、（６−１）、（６−１０）、（６−１１）、（６−１２）、（６−１３）、（６−１４）、（４−１４）、（５−１４）、（６−１１）、（７−１１）、（７−１４）、（８−１４）に通電を行う。
【００４８】
つぎの、数十分の１秒の間、制御基板７１の点灯回路が透明薄板基板２の図４に示す電極帯のＰｉｎ  Ｎｏ．（５−２）、（６−１）、（６−１０）、（６−１１）、（６−１２）、（６−１３）、（６−１４）、（４−１４）、（５−１４）、（６−１１）、（７−１１）、（７−１４）、（８−１４）に通電を行う。
【００４９】
つぎの、数十分の１秒の間、制御基板７１の点灯回路が透明薄板基板１の図４に示す電極帯のＰｉｎ  Ｎｏ．（５−２）、（６−１）、（６−１０）、（６−１１）、（６−１２）、（６−１３）、（６−１４）、（４−１４）、（５−１４）、（６−１１）、（７−１１）、（７−１４）、（８−１４）に通電を行う。
【００５０】
上記の様に制御基板７１の点灯回路が、順に透明薄板基板５、４、３、２、１の該当する電極帯へ通電を行えば、正面から表示装置Ａを見ていた場合に、数字の『１』が後方から前方に迫ってくる様に見える。
なお、制御基板７１の点灯回路が、順に透明薄板基板５、４、３、２、１の該当する電極帯へ通電を制御して、正面から表示装置Ａを見ていた場合に、英数字、カタカナ、図形などが立体的に動く様にしても良い。
【００５１】
実施例１の表示装置Ａは、以下の利点を有する。
点灯回路を組み付けた制御基板７１に、所定間隔を隔てて５個、平行配置したコネクタ７１、７２、７３、７４、７５に、各４９個の表面実装形の発光ダイオード６を配置した透明薄板基板１、２、３、４、５の接続部１２、２２、３２、４２、５３を嵌め込んでいる。
【００５２】
このため、後方の透明薄板基板に配置された発光ダイオード６が発光する光が、前方の透明薄板基板を通過する。よって、遊技者は、最後列に位置する発光ダイオード６の発光から、最前列に位置する発光ダイオード６の発光まで表示装置Ａの正面方向から視認できる。
【００５３】
透明薄板基板１、２、３、４、５の発光部１１、２１、３１、４１、５１の上端近傍から接続部１２、２２、３２、４２、５２の下端まで、縦方向に７本独立して縦電極帯１３、２３、３３、４３、５３が形成され、発光部１１、２１、３１、４１、５１の左端近傍または右端近傍から横方向に、接続部１２、２２、３２、４２、５２の下端まで縦電極帯１３、２３、３３、４３、５３を跨いで７本独立して横電極帯１４、２４、３４、４４、５４が形成されている。
【００５４】
そして、表面実装形の発光ダイオード６のカソードを縦電極帯１３、２３、３３、４３、５３の半田付け片１５、２５、３５、４５、５５に接続し、アノードを半田付け片１６、２６、３６、４６、５６に接続している。
このため、発光部１１、２１、３１、４１、５１を格子状に配置した表面実装形の発光ダイオード６（４９個）で形成することができる。
【００５５】
実施例１の表示装置Ａは、縦電極帯１３、２３、３３、４３、５３どうしの間隔および横電極帯１４、２４、３４、４４、５４どうしの間隔を後方の透明薄板基板ほど狭くし、縦電極帯側１３、２３、３３、４３、５３の半田付け片と横電極帯側１４、２４、３４、４４、５４の半田付け片との距離を後方に位置する透明薄板基板ほど短くしているので、上方向や横方向からみると、後方から前方まで、発光ダイオード６がハの字状に並ぶ。
このため、後方の発光ダイオード６が前方の発光ダイオード６に隠れないので、最後列に位置する発光ダイオード６の発光から、最前列に位置する発光ダイオード６の発光まで、表示装置Ａの正面方向から遊技者が容易に視認できる。
【００５６】
制御基板７１の点灯回路が透明薄板基板５、４、３、２、１の電極帯へ通電を制御することにより、英数字、カタカナ、図形などが立体的に動く様に、表示装置Ａの正面から発光ダイオード６の点灯を遊技者に見せることができる。
【００５７】
（他の実施例）
他の実施例の表示装置は、前後、左右、上下、および回動の内、少なくとも一組の方向に装置を移動させることが可能な駆動手段により支持されている。なお、少なくとも一組の方向とは、下記の通りである。
・前後方向、左右方向、上下方向、および回動方向の内、何れか一組。
・前後方向、左右方向、上下方向、および回動方向の内、何れか二組。
・前後方向、左右方向、上下方向、および回動方向の内、何れか三組。
・前後方向、左右方向、上下方向、および回動方向。
【００５８】
他の実施例において、駆動手段および表示装置は、フレキシブルワイヤーにより作動用電源に接続されている。なお、駆動手段は、アクチュエーターと、マイクロコンピュターを具備する制御回路とを備える。
このため、表示装置は、利用者に、数字、文字、図形などが、より立体的に動く様に視認させることができる。
駆動手段および表示装置の少なくとも一方は、フレキシブルワイヤーにより作動用電源に接続されているため、表示装置が移動しても、電力を駆動手段および表示装置に安定供給できる。
【００５９】
アクチュエーターには、送風機、超音波スピーカー、モーター、磁石などを使用する。また、表示装置が移動する際の挙動を安定させるため、ガイドレール、バネ、透明筒、磁力を利用しても良い。そして、駆動手段および表示装置の少なくとも一方は、フレキシブルワイヤーにより作動用電源に接続されている。
このため、他の実施例の表示装置は、数字、文字、図形などが、より立体的に動く様に、遊技者に視認させることができる。
【００６０】
『駆動手段および表示装置の少なくとも一方をフレキシブルワイヤーにより作動用電源に接続し』とは、下記の何れかである。
・駆動手段と作動用電源とをフレキシブルワイヤーにより接続し、表示装置と駆動手段とを通常のワイヤーで接続している。
・表示装置と作動用電源とをフレキシブルワイヤーにより接続し、駆動手段と表示装置を通常のワイヤーで接続している。
・駆動手段と作動用電源とをフレキシブルワイヤーにより接続し、表示装置と作動用電源とを別のフレキシブルワイヤーにより接続している。
【００６１】
このため、他の実施例の表示装置は、表示装置が移動しても、電力を駆動手段および表示装置に安定供給できる。
【符号の説明】
【００６２】
Ａ  表示装置
１、２、３、４、５  透明薄板基板
６  発光ダイオード
１１、２１、３１、４１、５１  発光部
１２、２２、３２、４２、５２  接続部
１３、２３、３３、４３、５３  縦電極帯
１４、２４、３４、４４、５４  横電極帯
１５、２５、３５、４５、５５  半田付け片
１６、２６、３６、４６、５６  半田付け片
７１  制御基板
７３、７４、７５、７６、７７  コネクタ
【図１】
2016090810.tif 000003
【図２】
2016090810.tif 000004
【図３】
2016090810.tif 000005
【図４】
2016090810.tif 000006
【図５】
2016090810.tif 000007